(57)【特許請求の範囲】
【請求項１】
正面、背面および４つの側面を有するキャビネットと、
前記キャビネットの正面に設けられた表示部と、
前記表示部を制御する表示制御部と、
前記表示部に対する操作を受け付ける受付部と、
報知動作を行う報知部と、
前記報知部を制御する報知制御部と、
前記キャビネットの側面に配されたキーと、を備え、
前記表示制御部は、前記報知動作時に、操作の対象となる第１オブジェクト画像および第２オブジェクト画像を含むアラーム画面を前記表示部に表示させ、
前記第１オブジェクト画像および前記第２オブジェクト画像のうち何れかのオブジェクト画像を移動させる移動操作が前記受付部により受け付けられたとき、前記報知制御部は、移動されたオブジェクト画像に応じて、前記報知動作を停止させる、または、前記報知動作を停止させるとともに所定の動作を実行する処理を行い、前記表示制御部は、前記アラーム画面を消去し、
前記移動操作が前記受付部に受け付けられる前に前記キーが操作されると、前記報知制御部は、前記報知動作を停止させ、前記表示制御部は、前記報知動作の停止後も前記アラーム画面を消去することなく継続して表示させる、
ことを特徴とする携帯端末装置。
【請求項２】
請求項１に記載の携帯端末装置において、
前記報知制御部は、
前記第１オブジェクト画像に対する前記移動操作が前記受付部により受け付けられた場合、前記報知動作を停止させ、さらに、前記報知動作の設定を解除し、
前記第２オブジェクト画像に対する前記移動操作が前記受付部により受け付けられた場合、前記報知動作を停止させ、さらに、前記報知動作の停止後所定時間が経過すると、前記報知動作を再開させる、
ことを特徴とする携帯端末装置。
【請求項３】
請求項２に記載の携帯端末装置において、
前記報知制御部は、所定基準を満たす前記移動操作が前記受付部により受け付けられると、前記報知動作を停止させる、
ことを特徴とする携帯端末装置。
【請求項４】
請求項３に記載の携帯端末装置において、
前記報知制御部は、前記何れかのオブジェクト画像を単位時間内に所定距離以上移動させる前記移動操作が前記受付部により受け付けられると、前記報知動作を停止させる、
ことを特徴とする携帯端末装置。
【請求項５】
請求項３に記載の携帯端末装置において、
前記報知制御部は、前記何れかのオブジェクト画像を所定距離以上移動させる前記移動操作が前記受付部により受け付けられると、前記報知動作を停止させる、
ことを特徴とする携帯端末装置。
【請求項６】
請求項３に記載の携帯端末装置において、
前記表示部は、第１表示部および第２表示部を含み、
少なくとも前記第１表示部が露出する第１形態と、前記第１表示部と少なくとも前記第２表示部の一部とが露出する第２形態とに切替え可能な機構部を、さらに備え、
前記表示制御部は、前記第２形態において、前記第１表示部および前記第２表示部のうち、一方の表示部に前記第１オブジェクト画像および前記第２オブジェクト画像を表示させ、
前記報知制御部は、前記何れかのオブジェクト画像を前記一方の表示部から他方の表示部に移動させる前記移動操作が前記受付部により受け付けられると、前記報知動作を停止させる、
ことを特徴とする携帯端末装置。
【請求項７】
請求項３ないし６の何れか一項に記載の携帯端末装置において、
前記表示制御部は、前記所定基準に満たない前記移動操作が前記受付部により受け付けられると、前記所定基準を満たす前記移動操作を促す画像を前記表示部に表示させる、
ことを特徴とする携帯端末装置。
【請求項８】
請求項２ないし７の何れか一項に記載の携帯端末装置において、
前記表示制御部は、前記移動操作に応じて前記第１オブジェクト画像または前記第２オブジェクト画像の表示位置を移動させる、
ことを特徴とする携帯端末装置。
【請求項９】
請求項１ないし８の何れか一項に記載の携帯端末装置において、
前記報知動作に関連付けられたプログラムを記憶する記憶部をさらに備え、
前記表示制御部は、前記移動操作に応じて前記報知制御部により前記報知動作が停止されると、前記プログラムに係る実行画面を前記表示部に表示させる、
ことを特徴とする携帯端末装置。
【請求項１０】
正面、背面および４つの側面を有するキャビネットと、前記キャビネットの正面に設けられた表示部と、前記表示部に対する操作を受け付ける受付部と、報知動作を行う報知部と、前記キャビネットの側面に配されたキーと、を備える携帯端末装置のコンピュータに、
前記報知動作時に、操作の対象となる第１オブジェクト画像および第２オブジェクト画像を含むアラーム画面を前記表示部に表示させる機能と、
前記第１オブジェクト画像および前記第２オブジェクト画像のうち何れかのオブジェクト画像を移動させる移動操作が前記受付部により受け付けられたとき、移動されたオブジェクト画像に応じて、前記報知動作を停止させる、または、前記報知動作を停止させるとともに所定の動作を実行する処理を行い、前記アラーム画面を消去する機能と、
前記移動操作が前記受付部に受け付けられる前に前記キーが操作されると、前記報知動作を停止させ、前記報知動作の停止後も前記アラーム画面を消去することなく継続して表示させる機能と、
を実行させるためのプログラム。
【発明の詳細な説明】
【技術分野】
【０００１】
本発明は、携帯電話機やＰＤＡ（Personal Digital Assistant）、タブレットＰＣ（Tablet PC）等の携帯端末装置に関するものである。
【背景技術】
【０００２】
携帯電話機等の携帯端末装置には、通常、アラーム機能が備えられている。かかる携帯端末装置では、ユーザが予め設定した時刻になると、アラーム音が発せられる。ユーザは、所定の停止操作を行うことにより、アラーム音を停止させることができる。
【０００３】
かかる携帯端末装置には、タッチパネルを備えるものもある。タッチパネルは、ディスプレイとディスプレイの表示面に配されるタッチセンサとで構成され、表示面に対する入力がタッチセンサにより検出される。
【０００４】
このようにタッチパネルを備える場合、たとえば、アラーム音が発せられた際に、タッチパネルに触れられると、アラーム音が停止するような構成が採られ得る（たとえば、特許文献１参照）。
【先行技術文献】
【特許文献】
【０００５】
【特許文献１】特開平２−３００９５号公報
【発明の概要】
【発明が解決しようとする課題】
【０００６】
しかしながら、携帯端末装置は、不使用時、カバンやポケットに入れられ、持ち運ばれることが多い。よって、携帯端末装置がタッチパネルを備える場合には、持ち運びの際に、カバンやポケット内の物がタッチパネルに触れやすい。
【０００７】
このため、上記のように、タッチパネルへの接触によってアラーム音が停止する構成が採られると、タッチパネルに、ユーザの意図しない接触が生じた場合にも、アラーム音が停止する。これにより、ユーザがアラーム音に気づかないという不具合が生じ易い。
【０００８】
本発明は、このような課題に鑑みてなされたものであり、報知動作が不用意に停止されることを防止する携帯端末装置を提供することを目的とする。
【課題を解決するための手段】
【０００９】
本発明の第１の態様に係る携帯端末装置は、正面、背面および４つの側面を有するキャビネットと、前記キャビネットの正面に設けられた表示部と、前記表示部を制御する表示制御部と、前記表示部に対する操作を受け付ける受付部と、報知動作を行う報知部と、前記報知部を制御する報知制御部と、前記キャビネットの側面に配されたキーと、を備える。ここで、前記表示制御部は、前記報知動作時に、操作の対象となる第１オブジェクト画像および第２オブジェクト画像を含むアラーム画面を前記表示部に表示させる。そして、前記第１オブジェクト画像および前記第２オブジェクト画像のうち何れかのオブジェクト画像を移動させる移動操作が前記受付部により受け付けられたとき、前記報知制御部は、移動されたオブジェクト画像に応じて、前記報知動作を停止させる、または、前記報知動作を停止させるとともに所定の動作を実行する処理を行い、前記表示制御部は、前記アラーム画面を消去する。一方、前記移動操作が前記受付部に受け付けられる前に前記キーが操作されると、前記報知制御部は、前記報知動作を停止させ、前記表示制御部は、前記報知動作の停止後も前記アラーム画面を消去することなく継続して表示させる。
【００１０】
第１の態様に係る携帯端末装置において、前記報知制御部は、前記第１オブジェクト画像に対する前記移動操作が前記受付部により受け付けられた場合、前記報知動作を停止させ、さらに、前記報知動作の設定を解除し、前記第２オブジェクト画像に対する前記移動
操作が前記受付部により受け付けられた場合、前記報知動作を停止させ、さらに、前記報知動作の停止後所定時間が経過すると、前記報知動作を再開させるような構成とされ得る。
【００１１】
このような構成とされた場合、前記報知制御部は、所定基準を満たす前記移動操作が前記受付部により受け付けられると、前記報知動作を停止させるような構成とされ得る。
【００１２】
たとえば、前記報知制御部は、前記何れかのオブジェクト画像を単位時間内に所定距離以上移動させる前記移動操作が前記受付部により受け付けられると、前記報知動作を停止させるような構成とされ得る。また、たとえば、前記報知制御部は、前記何れかのオブジェクト画像を所定距離以上移動させる前記移動操作が前記受付部により受け付けられると、前記報知動作を停止させるような構成とされ得る。
【００１３】
また、たとえば、前記表示部が、第１表示部および第２表示部を含み、少なくとも前記第１表示部が露出する第１形態と、前記第１表示部と少なくとも前記第２表示部の一部とが露出する第２形態とに切替え可能な機構部が、さらに備えられ、前記表示制御部が、前記第２形態において、前記第１表示部および前記第２表示部のうち、一方の表示部に前記第１オブジェクト画像および前記第２オブジェクト画像を表示させるような構成とされる場合、前記報知制御部は、前記何れかのオブジェクト画像を前記一方の表示部から他方の表示部に移動させる前記移動操作が前記受付部により受け付けられると、前記報知動作を停止させるような構成とされ得る。
【００１４】
さらに、上記のように、前記所定基準を満たす前記移動操作がなされると前記報知動作を停止させるような構成とされた場合、前記表示制御部は、前記所定基準に満たない前記移動操作が前記受付部により受け付けられると、前記所定基準を満たす前記移動操作を促す画像を前記表示部に表示させるような構成とされ得る。
【００１５】
さらに、上記のように、前記移動操作がなされると前記報知動作を停止させるような構成とされた場合、前記表示制御部は、前記移動操作に応じて前記第１オブジェクト画像または前記第２オブジェクト画像の表示位置を移動させるような構成とされ得る。
【００１７】
第１の態様に係る携帯端末装置において、前記報知動作に関連付けられたプログラムを記憶する記憶部がさらに備えられ得る。この場合、前記表示制御部は、前記報知制御部により前記報知動作が停止されると、前記プログラムに係る実行画面を前記表示部に表示させる。
【００１８】
本発明の第２の態様に係るプログラムは、正面、背面および４つの側面を有するキャビネットと、前記キャビネットの正面に設けられた表示部と、前記表示部に対する操作を受け付ける受付部と、報知動作を行う報知部と、前記キャビネットの側面に配されたキーと、を備える携帯端末装置のコンピュータに、前記報知動作時に、操作の対象となる第１オブジェクト画像および第２オブジェクト画像を含むアラーム画面を前記表示部に表示させる機能と、前記第１オブジェクト画像および前記第２オブジェクト画像のうち何れかのオブジェクト画像を移動させる移動操作が前記受付部により受け付けられたとき、移動されたオブジェクト画像に応じて、前記報知動作を停止させる、または、前記報知動作を停止させるとともに所定の動作を実行する処理を行い、前記アラーム画面を消去する機能と、前記移動操作が前記受付部に受け付けられる前に前記キーが操作されると、前記報知動作を停止させ、前記報知動作の停止後も前記アラーム画面を消去することなく継続して表示させる機能とを実行させる。
【発明の効果】
【００１９】
本発明によれば、報知動作が不用意に停止されることを防止する携帯端末装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係る携帯電話機の構成を示す図である。
【図２】実施の形態に係る携帯電話機を閉じた状態から開いた状態へ切り替えるための操作について説明するための図である。
【図３】実施の形態に係る携帯電話機の全体構成を示すブロック図である。
【図４】実施の形態に係る第１表示面にランチャー画面が表示された状態、および第１表示面にアラーム時刻の設定画面が表示された状態を示す図である。
【図５】実施の形態に係るアラーム報知制御の処理手順を示すフローチャートである。
【図６】実施の形態に係るアラーム報知制御の処理手順を示すフローチャートである。
【図７】実施の形態に係る携帯電話機が閉じた状態において、アラーム報知制御が実行されたときの画面表示の遷移状態を表す図である。
【図８】実施の形態に係る携帯電話機が閉じた状態において、アラーム報知制御が実行されたときの画面表示の遷移状態を表す図である。
【図９】実施の形態に係る携帯電話機が開いた状態において、アラームが作動したときの画面表示を示す図である。
【図１０】変更例１に係るアラーム報知制御の処理手順を示すフローチャートである。
【図１１】変更例１に係る携帯電話機が閉じられた状態において、アラーム報知制御が実行されたときの画面表示の遷移状態を表す図である。
【図１２】変更例２に係るアラーム報知制御の処理手順を示すフローチャートである。
【図１３】変更例３に係るアラーム報知制御の処理手順を示すフローチャートである。
【図１４】変更例３に係るアラーム報知制御が実行されたときの画面表示を示す図である。
【図１５】変更例４に係るアラーム報知制御の処理手順を示すフローチャートである。
【図１６】変更例４に係るアラーム報知制御が実行されたときの画面表示を示す図である。
【発明を実施するための形態】
【００２２】
以下、本発明の実施の形態について、図面を参照して説明する。
【００２３】
＜携帯電話機の構成＞
図１は、携帯電話機１の構成を示す分解斜視図である。携帯電話機１は、第１キャビネット１０と、第２キャビネット２０と、これら第１キャビネット１０および第２キャビネット２０を保持する保持体３０とで構成されている。
【００２４】
第１キャビネット１０は、横長の直方体形状を有する。第１キャビネット１０には、第１タッチパネルＴＰ１が配されている。第１タッチパネルＴＰ１は、第１ディスプレイ１１および第１タッチセンサ１２を含む。第１タッチパネルＴＰ１の表面は、図示しない保
護カバーに覆われている。
【００２５】
第１ディスプレイ１１は、第１液晶パネル１１ａおよび第１液晶パネル１１ａを照明する第１バックライト１１ｂで構成されている（図３参照）。第１液晶パネル１１ａの前面に第１表示面１１ｃが設けられおり、第１表示面１１ｃに画像(画面)が表示される。第１バックライト１１ｂは１つまたは複数の光源を含む。第１ディスプレイ１１の上に、第１タッチセンサ１２が重ねられて配されている。
【００２６】
第１タッチセンサ１２は、第１ディスプレイ１１に対する入力を検出する。第１タッチセンサ１２は、透明な長方形状のシートであり、第１ディスプレイ１１の第１表示面１１ｃを覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ｃ上の位置を検出し、その位置に応じた位置信号を出力する。なお、本実施の形態において、ユーザが第１表示面１１ｃ上を触れるとは、たとえば、ユーザがペンなどの接触部材や指を第１表示面１１ｃ上に完全に触れることのみならず、第１表示面１１ｃ近接させることも含む。
【００２７】
ユーザは、指などを第１表示面１１ｃに触れることにより、第１表示面１１ｃに対して、「タップ」、「スライド」、「フリック」、「ロングタップ」などの各種の操作を行うことができる。
【００２８】
ここで、「タップ」とは、ユーザが接触部材や指で表示面を軽くたたくような動作であり、接触部材や指を表示面に接触してから短時間で表示面から離す動作を言う。「スライド」とは、ユーザが接触部材や指を表示面に接触したまま動かす動作を言う。「フリック」とは、ユーザが接触部材や指によって表示面を素早く弾くような操作であり、接触部材や指を、表示面に接触したまま短時間に所定距離以上動かす動作を言う。「ロングタップ」とは、ユーザが接触部材や指で表示面の同じ位置を所定時間（タップに比べて長い時間）以上接触し続ける動作を言う。なお、「タップ」、「スライド」、「フリック」、「ロングタップ」などの操作などの操作を含め、ユーザが、表示面に触れる操作を、総称して「タッチ」と言う。また、表示面に表示された、アイコンや後述するスヌーズボタン、解除ボタンなど操作の対象となるオブジェクト画像に指等を触れ、その指等をスライドさせることにより、触れた画像を移動させる操作を「ドラッグ」と言う。
【００２９】
第１キャビネット１０の内部には、中央やや後ろ位置にカメラモジュール１３が配されている。このカメラモジュール１３における被写体像を取り込むためのレンズ窓（図示せず）が、第１キャビネット１０の下面に設けられている。
【００３０】
また、第１キャビネット１０の内部には、前面近傍の中央位置に磁石１４が配されており、右前角部に磁石１５が配されている。
【００３１】
さらに、第１キャビネット１０の右側面および左側面には、突起部１６、１７が設けられている。
【００３２】
第２キャビネット２０は、横長の直方体形状であって、第１キャビネット１０とほぼ同じ形状と大きさを有する。第２キャビネット２０には、第２タッチパネルＴＰ２が配されている。第２タッチパネルＴＰ２は、第２ディスプレイ２１および第２タッチセンサ２２を含む。第２タッチパネルＴＰ２の表面は、図示しない保護カバーに覆われている。
【００３３】
第２ディスプレイ２１は、第２液晶パネル２１ａおよび、第２液晶パネル２１ａを照明する第２バックライト２１ｂで構成されている（図３参照）。第２液晶パネル２１ａの前
面に第２表示面２１ｃが設けられおり、第２表示面２１ｃに画像(画面)が表示される。第２バックライト２１ｂは１つまたは複数の光源を含む。第２ディスプレイ２１の上に、第２タッチセンサ２２が重ねられて配されている。
【００３４】
なお、第１ディスプレイ１１および第２ディスプレイ２１は、有機ＥＬ等他の表示素子により構成されてもよい。
【００３５】
第２タッチセンサ２２は、第２ディスプレイ２１に対する入力を検出する。第２タッチセンサ２２の構成は、第１タッチセンサ１２と同様である。ユーザは、指などを第２表示面２１ｃに触れることにより、第２表示面２１ｃに対して、「タップ」、「スライド」、「フリック」、「ロングタップ」などの各種の操作を行うことができる。
【００３６】
第２キャビネット２０の内部には、後面近傍の中央位置に磁石２３が配されている。
この磁石２３と第１キャビネット１０の磁石１４とは、後述する開状態で互いに引き合うよう構成されている。
【００３７】
第２キャビネット２０の内部において、右前角部には閉鎖センサ２４が配されており、右後角部には開放センサ２５が配されている。これらセンサ２４、２５は、たとえば、ホールＩＣなどで構成され、磁石１５の磁力に反応して検出信号を出力する。後述する閉状態で、第１キャビネット１０の磁石１５が閉鎖センサ２４に接近するので、閉鎖センサ２４からＯＮ信号が出力される。一方、開状態になると、第１キャビネット１０の磁石１５が開放センサ２５に接近するので、開放センサ２５からＯＮ信号が出力される。
【００３８】
さらに、第２キャビネット２０の両側面にはそれぞれ２つの軸部２６、２７が設けられている。また、第２キャビネット２０の前面には、主として、後述するスピーカや外部スピーカの音量を調整するために操作される音量キー２８が設けられている。音量キー２８は、音量を上げるためのアップキー２８ａと音量を下げるためのダウンキー２８ｂを含む。
【００３９】
保持体３０は、底板部３１と、底板部３１の右端部に形成された右保持部３２と、底板部３１の左端部に形成された左保持部３３とで構成されている。
【００４０】
底板部３１には、３つのコイルバネ３４が左右方向に並ぶように配されている。これらコイルバネ３４は、第２キャビネット２０が保持体３０に取り付けられた状態において、第２キャビネット２０の下面に当接し、第２キャビネット２０に対して上方に押し上げる力を付与する。
【００４１】
右保持部３２の上面にはマイクロフォン３５（以下、「マイク」という）および電源キー３６が配されている。左保持部３３の上面には、スピーカ３８が配されている。
【００４２】
また、右保持部３２の外側面には、ハードキーである複数の操作キー３７が配されている。
【００４３】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００４４】
携帯電話機１を組み立てる際には、軸部２６、２７が案内溝３９の下溝３９ｂに挿入され、第２キャビネット２０が保持体３０の収容領域Ｒ内に配置される。突起部１６、１７
が案内溝３９の上溝３９ａに挿入され、第１キャビネット１０が第２キャビネット２０の上に配置され、第１キャビネット１０が保持体３０の収容領域Ｒ内に収まる。
【００４５】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２６、２７が縦溝３９ｃまでくると、第２キャビネット２０は、縦溝３９ｃに案内されて上下にスライド可能となる。
【００４６】
図２は、携帯電話機１を閉状態から開状態へ切り替えるための操作について説明するための図である。なお、閉状態が本発明の第１形態に相当し、開状態が本発明の第２形態に相当する。
【００４７】
図２（ａ）に示す閉状態では、第１キャビネット１０が第２キャビネット２０の上に重ねられて、携帯電話機１が畳まれる。第２表示面２１ｃが第１キャビネット１０で隠れ、第１表示面１１ｃのみが外部に露出する。
【００４８】
図２（ｂ）に示す矢印の方向に、第１キャビネット１０が後方に移動し、図２（ｃ）に示す矢印の方向に、第２キャビネット２０が前方へ引き出される。第２キャビネット２０が第１キャビネット１０に完全に重ならなくなると、図１に示す軸部２６、２７が縦溝３９ｃにくる。これにより、軸部２６、２７が縦溝３９ｃに沿って動き、第２キャビネット２０は上下に移動可能になる。このとき、コイルバネ３４の弾性力と、磁石１４および磁石２３の引力とにより、第２キャビネット２０は上昇する。
【００４９】
図２（ｄ）に示すように、第２キャビネット２０が第１キャビネット１０と密着して並び、第２キャビネット２０の第２表示面２１ｃが第１表示面１１ｃと同じ高さになる。これにより、携帯電話機１は開状態に切り替えられる。開状態では、第１キャビネット１０および第２キャビネット２０が広げられて横に並び、第１表示面１１ｃと第２表示面２１ｃの双方が外部に露出する。
【００５０】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、外部スピーカ３０８、バッテリー３０９、電源部３１０、クロック３１１を備えている。
【００５１】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ３０１へ出力する。映像エンコーダ３０１は、カメラモジュール１３からの撮像信号にエンコード処理を施してＣＰＵ１００へ出力する。
【００５２】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５３】
キー入力回路３０３は、電源キー３６や操作キー３７、音量キー２８が押されたときに、各キーに応じた入力信号をＣＰＵ１００へ出力する。
【００５４】
通信モジュール３０４は、ＣＰＵ１００からの各種データ（音声データ、画像データ等）を無線信号に変換し、アンテナ３０４ａを介して基地局へ送信する。また、通信モジュール３０４は、アンテナ３０４ａを介して受信した無線信号を各種データに変換してＣＰＵ１００へ出力する。
【００５５】
バックライト駆動回路３０５は、ＣＰＵ１００からの制御信号に応じた駆動信号を第１バックライト１１ｂおよび第２バックライト２１ｂに供給する。第１バックライト１１ｂは、バックライト駆動回路３０５からの駆動信号により点灯し、第１液晶パネル１１ａを照明する。第２バックライト２１ｂは、バックライト駆動回路３０５からの駆動信号により点灯し、第２液晶パネル２１ａを照明する。
【００５６】
映像デコーダ３０６は、ＣＰＵ１００からの画像データを第１液晶パネル１１ａおよび第２液晶パネル２１ａで表示できる画像信号に変換し、これらを液晶パネル１１ａ、２１ａに出力する。第１液晶パネル１１ａは、画像信号に応じた画像を第１表示面１１ｃに表示する。第２液晶パネル２１ａは、画像信号に応じた画像を第２表示面２１ｃに表示する。
【００５７】
音声デコーダ３０７は、ＣＰＵ１００からの音声信号と、着信音やアラーム音等の各種報知音の音信号とにデコード処理を施し、さらにアナログの音声信号および音信号に変換する。スピーカ３８は、音声デコーダ３０７からの音声信号を音声として再生する。外部スピーカ３０８は、音声デコーダ３０７からの音信号を報知音として再生する。
【００５８】
バッテリー３０９は、ＣＰＵ１００やＣＰＵ１００以外の各部へ電力を供給するためのものであり、二次電池からなる。バッテリー３０９は電源部３１０に接続されている。
【００５９】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００６０】
クロック３１１は、時間を計測し、計測した時間を応じた信号をＣＰＵ１００へ出力する。
【００６１】
メモリ２００は、ＲＯＭおよびＲＡＭを含む。メモリ２００には、ＣＰＵ１００に制御機能を付与するための制御プログラムが記憶されている。制御プログラムには、後述する、アラーム時刻にアラーム報知を行うためアプリケーションプログラム（以下、単に「アプリケーション」という）が含まれる。制御プログラムには、その他、通話のアプリケーション、メールのアプリケーション、ウェブブラウザ等の各種アプリケーションが含まれる。
【００６２】
また、メモリ２００には、カメラモジュール１３で撮影した画像データや通信モジュール３０４を介して外部から取り込んだ各種データなどが所定のファイル形式で保存される。
【００６３】
ＣＰＵ１００は、キー入力回路３０３およびタッチセンサ１２、２２からの操作入力信号に基づき、制御プログラムに従って、カメラモジュール１３、マイク３５、通信モジュール３０４、液晶パネル１１ａ、２１ａ、通話スピーカ３８、外部スピーカ３０８等を動作させる。これにより、ＣＰＵ１００は、各種アプリケーションを実行する。
【００６４】
また、ＣＰＵ１００は、メモリ２００に用意されたワークエリア内で、ランチャー画面や各種アプリケーションの実行画面を生成し、これらの画面を表示するための映像信号を
各ディスプレイ１１、２１に出力する。
【００６５】
さらに、ＣＰＵ１００は、タッチセンサ１２、２２の検出結果に基づいて、表示面１１ｃ、２１ｃに対する操作がどのような操作であるかを判断する。たとえば、表示面１１ｃ、２１ｃへの入力が検出された時間が所定の規定時間よりも短く、且つ入力位置の移動がなければ、ＣＰＵ１００は、表示面１１ｃ、２１ｃがタップされたと判断する。また、入力位置が移動すると、ＣＰＵ１００は、表示面１１ｃ、２１ｃがスライドされたと判断する。さらに、最初の入力位置が、後述するスヌーズボタンＢ６および解除ボタンＢ７の表示位置であり、その位置からスライドと判断される入力位置の移動あれば、ＣＰＵ１００は、これらボタンＢ６、Ｂ７がドラッグされたと判断する。また、スヌーズボタンＢ６および解除ボタンＢ７が、リリース後に単位時間（たとえば、０．２ｓ）内に第１規定距離（たとえば、３２０ピクセル）以上移動するような速度で、表示面１１ｃ、２１ｃから指等がリリースされると、ＣＰＵ１００は、ボタンＢ６、Ｂ７への操作を確定させるフリック（以下、「確定フリック」という）がなされたと判断する。
【００６６】
＜携帯電話機の機能＞
図４（ａ）は、携帯電話機１が閉じた状態において第１表示面１１ｃにランチャー画面が表示された状態を示す図である。図４（ｂ）は、携帯電話機１が閉じた状態において第１表示面１１ｃにアラーム時刻の設定画面が表示された状態を示す図である。
【００６７】
携帯電話機１が閉じた状態にあるときには、携帯電話機１の左右方向（図１参照）が画面の上下方向となるように、第１表示面１１ｃに画面が表示される。
【００６８】
図４（ａ）に示すように、ランチャー画面には、各種のアプリケーションにそれぞれ対応するアイコンＭ１が表示されている。アプリケーションは、予め携帯電話機１備えられているアプリケーション以外にも、インターネットを通じたダウンロード等により入手可能であり、入手されたアプリケーションは、インストールにより携帯電話機１に追加される。
【００６９】
また、ランチャー画面には、受信状態を示すアンテナマークＭ２およびバッテリーの残量を示す残量マークＭ３が表示されている。ユーザは、アンテナマークＭ２により受信状態を確認でき、残量マークＭ３によりバッテリーの残量を確認することができる。
【００７０】
ユーザは、複数のアイコンＭ１の中から、所望のアイコンＭ１を指等でタップすることにより、所望のアプリケーションを起動することができる。
【００７１】
メモリ２００には、各アイコンＭ１と表示面１１ｃ、２１ｃ上での各アイコンＭ１の位置とを対応付けるアイコン対応テーブル、および各アイコンＭ１と各アプリケーションとを対応付けるアプリ対応テーブルが記憶されている。ＣＰＵ１００は、アイコンＭ１がタップされると、タップされた位置に基づいて、アイコン対応テーブルを用いて、タップされたアイコンＭ１を特定する。さらに、アプリ対応テーブルを用いて、タップされたアイコンＭ１に対応するアプリケーションを特定し、そのアプリケーションを起動する。アプリケーションが起動されると、その実行画面が第１表示面１１ｃに表示される。たとえば、ウェブブラウザが起動された場合、ＵＲＬに基づくウェブページが第１表示面１１ｃに表示される。
【００７２】
さて、ランチャー画面に表示されるアイコンＭ１の中から、アラームのアプリケーションに対応するアイコンＭ１がユーザによりタップされると、ＣＰＵ１００により、アラームのアプリケーションが起動される。
【００７３】
ユーザは、図４（ｂ）に示す設定画面において、アラーム報知を行う時刻（以下、「アラーム時刻」という）を設定する。設定画面には、「時間」を増減させるためのプラスボタンＢ１およびマイナスボタンＢ２、「分」を増減させるためのプラスボタンＢ３およびマイナスボタンＢ４、時刻を確定するためのセットボタンＢ５が表示される。ユーザにより時刻が合わせられ、セットボタンＢ５が押されると、ＣＰＵ１００は、設定された時刻をメモリ２００に記憶させる。
【００７４】
こうして、アラーム時刻が設定されると、以下に説明するアラーム報知制御の処理が開始される。
【００７５】
図５および図６は、アラーム報知制御の処理手順を示すフローチャートである。図７および図８は、携帯電話機１が閉じた状態において、アラーム報知制御が実行されたときの画面表示の遷移状態を表す図である。図９は、携帯電話機１が開いた状態において、アラームが作動したときの画面表示を示す図である。
【００７６】
図５および図６を参照して、ＣＰＵ１００は、クロック３１１により計測される時刻に基づいて、アラーム時刻になったか否かを監視する（Ｓ１０１）。
【００７７】
この間、たとえば、携帯電話機１が待機状態にあれば、図７の（画面１）に示すように、第１バックライト１１ｂが消灯され、第１表示面１１ｃが消えた状態となる。
【００７８】
ＣＰＵ１００は、アラーム時刻になったと判定すると（Ｓ１０１：ＹＥＳ）、アラームを作動させる（Ｓ１０２）。即ち、ＣＰＵ１００は、外部スピーカ３０８に、所定のアラーム音のための音信号を出力する。これにより、外部スピーカ３０８から所定のアラーム音が発せられる。
【００７９】
次に、ＣＰＵ１００は、アラーム画面を生成する。そして、携帯電話機１が閉じていれば、ＣＰＵ１００は、図７の（画面２）に示すように、生成したアラーム画面を第１表示面１１ｃに表示させる（Ｓ１０３）。アラーム画面には、時刻とともに、スヌーズボタンＢ６および解除ボタンＢ７が表示される。これらボタンＢ６、Ｂ７は、互いに異なる色調を有する。
【００８０】
なお、携帯電話機１が開いている場合には、図９に示すように、一方の表示面、たとえば第２表示面２１ｃにアラーム画面が表示される。このとき、他方の画面は、アラームが作動される前に表示されていた画面がそのまま表示され続ける。なお、同じアラーム画面が双方の表示面１１ｃ、２１ｃに表示されても良いし、双方の表示面１１ｃ、２１ｃを合わせた大きな表示面に、１つのアラーム画面が表示されても良い。
【００８１】
次に、ＣＰＵ１００は、予め定められたアラームの作動時間（たとえば、１０分）が経過したか否かを判定し（Ｓ１０４）、経過していなければ（Ｓ１０４：ＮＯ）、スヌーズボタンＢ６および解除ボタンＢ７の何れかのボタンがタッチされたか否かを監視する（Ｓ１０５）。
【００８２】
ユーザは、アラーム音を止めるとともに、所定の待機時間（たとえば、５分）が経過した後に再びアラームを作動させたい場合、スヌーズボタンＢ６をタッチする。一方、ユーザは、アラーム音を止めるとともに、アラームの設定を解除したい場合、解除ボタンＢ７をタッチする。
【００８３】
ＣＰＵ１００は、何れかのボタンがタッチされると（Ｓ１０５：ＹＥＳ）、タッチされたボタンの周囲に、ボタンの操作方法を表示する（Ｓ１０６）。また、ＣＰＵ１００は、
タッチされなかったボタンの色調を下げることにより、そのボタンを暗くする（Ｓ１０７）。たとえば、スヌーズボタンＢ６がタッチされると、図７の（画面３）に示すように、スヌーズボタンＢ６の上方に、フリックを促す「Flick to Snooze」なる文言が表示されるとともに、解除ボタンＢ７が暗くなる。一方、解除ボタンＢ７がタッチされると、図７の（画面４）に示すように、解除ボタンＢ７の上方に、フリックを促す「Flick to Dismiss」なる文言が表示されるとともに、スヌーズボタンＢ６が暗くなる。
【００８４】
これにより、ユーザは、操作するボタンとその操作方法を明確に把握することができる。
【００８５】
次に、ＣＰＵ１００は、タッチされたボタンを移動するような操作がなされたか否か、即ち、ボタンの表示位置への入力が検出され、そのまま入力位置が移動したか否かを監視する（Ｓ１０８）。そして、そのような移動操作があれば（Ｓ１０８：ＹＥＳ）、ＣＰＵ１００は、その移動操作が確定フリックであるか否かを判定する（Ｓ１０９）。移動操作が確定フリックであれば（Ｓ１０９：ＹＥＳ）、ＣＰＵ１００は、フリックされたボタンを、フリックされた方向に、フリックの強さに応じた距離だけ移動させる表示を行う（Ｓ１１０：図７の画面３、４参照）。このとき、入力位置の単位時間内の移動距離が第１規定距離以上で、且つその距離が大きいほど、フリックが強いと判断され、ボタンが大きく移動される。
【００８６】
その後、ＣＰＵ１００は、アラームを停止する（Ｓ１１１）。即ち、ＣＰＵ１００は、外部スピーカ３０８への音信号の出力を停止して、アラーム音を止める。また、ＣＰＵ１００は、作動時間の計測を停止する（Ｓ１１１）。そして、ＣＰＵ１００は、操作されたボタンが、スヌーズボタンＢ６であれば（Ｓ１１２：ＹＥＳ）、スヌーズ設定を行い（Ｓ１１３）、解除ボタンＢ７であれば（Ｓ１１２：ＮＯ）、アラーム解除設定を行う（Ｓ１１４）。
【００８７】
さらに、ＣＰＵ１００は、第１表示面１１ｃ（第２表示面２１ｃ）に表示されていたアラーム画面を、図７の（画面５）に示す、アラームが作動される前の画面に戻す（Ｓ１１８）。なお、図７の（画面１）のように待機状態でアラームが作動されたときには、待機状態となる直前の画面が、アラームが作動される前の画面として表示される。
【００８８】
アラーム解除設定が行われた場合、ＣＰＵ１００は、アラームのアプリケーションを終了するため、その後、再びアラームが作動することはない。
【００８９】
一方、スヌーズ設定が行われた場合には、アラームのアプリケーションは終了せず、アラーム停止から待機時間経過後が、新たなアラーム時刻となる。ＣＰＵ１００は、再び、ステップＳ１０１においてアラーム時刻になった否かを監視する。そして、アラーム停止後、待機時間が経過すると、ＣＰＵ１００は、アラーム時刻になったと判定し（Ｓ１０１：ＹＥＳ）、再び、アラームを作動させる。
【００９０】
さて、ユーザが確定フリックを行ったつもりでも、その強さが十分でない場合がある。その場合、ステップＳ１０９において、移動操作が確定フリックでないと判定される（Ｓ１０９：ＮＯ）。この場合、ＣＰＵ１００は、図８の（画面１）、（画面２）のように、移動操作の強さ、即ち、入力位置の単位時間内の移動距離に応じて、移動操作の方向に、ボタンを一旦移動させた後に、ボタンを元の位置に戻す（Ｓ１１５）。その後、ＣＰＵ１００は、アラーム画面上にメッセージウインドウＷ１を、所定時間（たとえば、２秒間）だけ表示させる（Ｓ１１６）。たとえば、図８の（画面３）に示すように、「Flick harder to operate」など、強くフリックするよう促す文言からなるメッセージウインドウＷ１が表示される。
【００９１】
アラーム作動中、ユーザが、何も操作しない場合がある。また、ユーザが、何れかのボタンＢ６、Ｂ７をタッチしたが、その後、続く操作をやめてしまう場合もある。この場合、作動時間が経過すると（Ｓ１０４：ＹＥＳ、Ｓ１１８：ＹＥＳ）、ＣＰＵ１００は、アラームを停止するとともに、アラーム解除設定を行う（Ｓ１１７）。そして、ＣＰＵ１００は、第１表示面１１ｃ（第２表示面２１ｃ）に表示されていたアラーム画面を、アラームが作動される前の画面に戻す（Ｓ１１８）。
【００９２】
＜本実施の形態の効果＞
以上、本実施の形態によれば、アラーム音による報知動作時に、第１表示面１１ｃ（第２表示面２１ｃ）に、スヌーズボタンＢ６および解除ボタンＢ７が表示され、何れかのボタンＢ６、Ｂ７に対して所定の停止操作がなされると、報知動作が停止する。よって、物などが第１表示面１１ｃ（第２表示面２１ｃ）に誤って触れても、これらボタンＢ６、Ｂ７に触れなければ報知動作が停止しないので、ユーザが意図せず、不所望に報知動作が停止され難い。
【００９３】
また、本実施の形態によれば、スヌーズボタンＢ６および解除ボタンＢ７に対して予め定められた移動操作、即ち、確定フリックがなされなければ、報知動作が停止しない。よって、物などがスヌーズボタンＢ６および解除ボタンＢ７にただ触れるだけでは報知動作が停止しないので、より一層、誤って報知動作が停止され難い。
【００９４】
さらに、本実施の形態によれば、スヌーズボタンＢ６および解除ボタンＢ７に対して移動操作がなされると、操作されたボタンが移動操作された方向に移動する。よって、ボタンが操作されたことがユーザに分かり易い。
【００９５】
さらに、本実施の形態によれば、ユーザの移動操作が確定フリックでなければ、正しい操作を促すメッセージが第１表示面１１ｃ（第２表示面２１ｃ）に表示される。よって、ユーザは、正しい操作がなされなかったことを容易に把握できる。
【００９６】
さらに、本実施の形態によれば、スヌーズボタンＢ６および解除ボタンＢ７がタッチされることにより、ボタンが選ばれ、そのボタンが操作されて初めて報知動作が停止される。よって、より一層、誤って報知動作が停止され難い。
【００９７】
＜変更例１＞
図１０は、変更例１に係るアラーム報知制御の処理手順を示すフローチャートである。図１１は、携帯電話機１が閉じられた状態において、アラーム報知制御が実行されたときの画面表示の遷移状態を表す図である。
【００９８】
本変更例では、表示面１１ｃ、２１ｃに表示された、ソフトキーであるスヌーズボタンＢ６および解除ボタンＢ７に対する操作だけでなく、表示面１１ｃ、２１ｃとは、別の位置に設けられたハードキーへの操作により、アラームを停止する機能を有する。本変更例では、ハードキーとして、音量キー２８のアップキー２８ａが用いられる。
【００９９】
図１０に示すように、本変更例のアラーム報知制御では、図５に示す上記実施の形態のアラーム報知制御に対し、ステップＳ１２１からＳ１２８の処理が追加されている。それ以外の処理は、上記実施の形態における処理と同じである。
【０１００】
図１０を参照して、アラーム画面が表示されると（Ｓ１０３）、ＣＰＵ１００は、図１１（ａ）、（ｂ）、（ｃ）の（画面１）に示すように、アップキー２８ａの近傍となるアラーム画面上の位置に、アップキー２８ａが割り当てられた機能を示すマークＤ１、Ｄ２
、Ｄ３を表示させる。ユーザは、予め所定の設定操作を行うことにより「サイレンス」、「スヌーズ」、「アラーム解除」の３つの機能から一つを選択し、アップキー２８ａの操作により実行できる機能として設定できる。たとえば、「サイレンス」の機能が設定されていれば、図１１（ａ）のように、「サイレンス」の機能に対応するマークＤ１が表示される。また、「スヌーズ」の機能が設定されていれば、図１１（ｂ）のように、「スヌーズ」の機能に対応するマークＤ２が表示される。さらに、「アラーム解除」の機能が設定されていれば、図１１（ｃ）のように、「アラーム解除」の機能に対応するマークＤ３が表示される。なお、ユーザは、３つの機能の何れもが実行されない設定とする設定操作を行うこともできる。この場合、マークＤ１、Ｄ２、Ｄ３が表示されず、アップキー２８ａへの操作は無効とされる。
【０１０１】
ＣＰＵ１００は、アラームの作動中、スヌーズボタンＢ６および解除ボタンＢ７がタッチされたか否を監視するとともに（Ｓ１０６）、アップキー２８ａが押されたか否かを監視する（Ｓ１２２）。
【０１０２】
ＣＰＵ１００は、アップキー２８ａが押されたとき（Ｓ１２２：ＹＥＳ）、「サイレンス」の機能が設定されていれば（Ｓ１２３：ＹＥＳ）、アラームを停止するとともにマークＤ１を消す（Ｓ１２４）。図１１（ａ）の（画面２）に示すように、アラーム画面からマークＤ１が消えるが、アラーム画面自身は表示され続ける。このとき、作動時間の計測は継続され、ステップＳ１０４の処理へ戻る。
【０１０３】
一方、アップキー２８ａが押されたとき（Ｓ１２２：ＹＥＳ）、「サイレンス」の機能が設定されていない、即ち、「スヌーズ」または「アラーム解除」の機能が設定されていれば（Ｓ１２３：ＮＯ）、ＣＰＵ１００は、アラームを停止するとともに、作動時間の計測を停止する（Ｓ１２５）。そして、ＣＰＵ１００は、「スヌーズ」の機能が設定されていれば（Ｓ１２６：ＹＥＳ）、スヌーズ設定を行い（Ｓ１２７）、「アラーム解除」の機能が設定されていれば（Ｓ１２７：ＮＯ）、アラーム解除設定を行う（Ｓ１２８）。
【０１０４】
その後、ステップＳ１１８の処理が実行され、図１１（ｂ）、（ｃ）の（画面２）に示すように、アラームが作動される前の画面が第１表示面１１ｃに表示される。
【０１０５】
このように、予め「サイレンス」の機能が設定されていれば、ユーザは、アップキー２８ａを押すことで、アラーム音のみを止めることができる。また、予め「スヌーズ」の機能が設定されていれば、ユーザは、アップキー２８ａを押すことで、スヌーズボタンＢ６を操作しなくても、アラーム音を止めることができるとともに、所定の待機時間が経過した後に、再びアラームを作動できる。また、予め「アラーム解除」の機能が設定されていれば、ユーザは、アップキー２８ａを押すことで、解除ボタンＢ７を操作しなくても、アラーム音を止めることができるとともに、アラームの設定を解除できる。
【０１０６】
以上、本変更例によれば、表示面１１ｃ、２１ｃとは、別の位置に設けられたハードキーへの操作により、表示面１１ｃ、２１ｃに対する操作を行うことなく、アラーム音の報知動作を停止させることができる。また、アップキー２８ａの一回の操作で報知動作を停止でき、操作が容易となる。
【０１０７】
さらに、本変更例によれば、報知動作を停止させるためのハードキーが表示面１１ｃ、２１ｃの近くとなるように配され、表示面１１ｃ、２１ｃには、ハードキーの近くにマークＤ１、Ｄ２、Ｄ３が表示される。よって、ハードキーを使用できることが、ユーザに分かり易い。
【０１０８】
なお、表示面１１ｃ、２１ｃ（タッチセンサ１２、２２）への操作は、表示面１１ｃ、
２１ｃに触れるだけで良いため、表示面１１ｃ、２１ｃを押す力はほとんど必要とされない。一方、アップキー２８ａへの操作は、表示面１１ｃ、２１ｃへの操作に比べ、大きな押圧力が必要となる。よって、アップキー２８ａに物が当たっても、操作が受け付けられ難い。
【０１０９】
＜変更例２＞
上記実施の形態では、ユーザのタップにより、スヌーズボタンＢ６および解除ボタンＢ７の何れかのボタンが選択された後、選択されたボタンに対して確定フリックがなされると、アラームが停止された。しかしながら、本変更例のように、これらスヌーズボタンＢ６および解除ボタンＢ７に対するアラームを停止させるための操作が、確定フリックでなく、所定距離以上のドラッグに置き換えられても良い。
【０１１０】
図１２は、変更例２に係るアラーム報知制御の処理手順を示すフローチャートである。
【０１１１】
図１２に示すように、本変更例のアラーム報知制御では、図６に示す上記実施の形態のアラーム報知制御のステップＳ１０８〜Ｓ１１０、Ｓ１１５、Ｓ１１６の処理がステップＳ１３１〜Ｓ１３６の処理に置き換えられる。それ以外の処理は、上記実施の形態における処理と同じである。
【０１１２】
図５に示すように、スヌーズボタンＢ６および解除ボタンＢ７の何れかのボタンがタッチされことにより（Ｓ１０５：ＹＥＳ）、タッチされたボタンの操作方法が表示されるともに（Ｓ１０６）、タッチされなかったボタンが暗くされると（Ｓ１０７）、図１２に示すステップＳ１３１の処理に移行する。
【０１１３】
ステップＳ１３１において、ＣＰＵ１００は、先にタップされたボタンがドラッグされたか否かを判定する。そして、ユーザによりボタンがドラッグされれば（Ｓ１３１：ＹＥＳ）、ＣＰＵ１００は、ドラッグに応じてボタンを移動させる（Ｓ１３２）。即ち、ＣＰＵ１００は、第１表示面１１ｃ（第２表示面２１ｃ）に対する入力位置の移動に伴い、その移動に追従するようにボタンを表示させていく。こうして、図７の（画面３）および（画面４）と同様、第１表示面１１ｃ（第２表示面２１ｃ）上をボタンが移動する。
【０１１４】
そして、ＣＰＵ１００は、ドラッグされたボタンが、予め定めた第２規定距離（たとえば、３２０ピクセル）以上移動されると（Ｓ１３３：ＹＥＳ）、アラームを停止するとともに、作動時間の計測を停止する（Ｓ１１１）。以降は、上記実施の形態と同に処理が実行される。
【０１１５】
一方、ＣＰＵ１００は、ボタンが第２規定距離まで移動される前にドラッグが終えられると（Ｓ１３３：ＮＯ→Ｓ１３４：ＹＥＳ）、図８の（画面２）と同様、ボタンをドラッグ前の位置に移動させる（Ｓ１３５）。そして、図８の（画面３）と同様、アラーム画面上にメッセージウインドウＷ１を、所定時間（たとえば、２秒間）だけ表示させる（Ｓ１３６）。この場合、メッセージウインドウＷ１は、もっと長いドラッグを促すような文言により構成される。
【０１１６】
本変更例のような構成とした場合も、上記実施の形態と同様、ユーザが意図せず、不所望に報知動作が停止され難い。
【０１１７】
なお、本変更例では、確定フリックに替えて、所定距離以上のドラッグがなされると、アラームが停止する構成とされたが、確定フリックと所定距離以上のドラッグのどちらの操作が行われてもアラームが停止されるような構成とされても良い。また、変更例１の構成に、本変更例の構成が適用されても良い。
【０１１８】
＜変更例３＞
変更例２では、スヌーズボタンＢ６または解除ボタンＢ７が、予め定めた距離以上ドラッグされると、アラームが停止された。しかしながら、本変更例のように、携帯電話機１が開いた状態にあるときに、一方の表示面１１ｃ、２１ｃに表示されたスヌーズボタンＢ６または解除ボタンＢ７が、他方の表示面１１ｃ、２１ｃまでドラッグされると、アラームが停止されるような構成とされても良い。
【０１１９】
図１３は、変更例３に係るアラーム報知制御の処理手順を示すフローチャートである。図１４は、アラーム報知制御が実行されたときの画面表示を示す図である。
【０１２０】
図１３に示すように、本変更例のアラーム報知制御では、図６に示す上記実施の形態のアラーム報知制御のステップＳ１０８〜Ｓ１１０、Ｓ１１５、Ｓ１１６の処理、あるいは、図１２に示す変更例２のアラーム報知制御のステップＳ１３１〜Ｓ１３６の処理が、ステップＳ１４１〜Ｓ１４６の処理に置き換えられる。それ以外の処理は、上記実施の形態および変更例２における処理と同じである。
【０１２１】
図５に示すように、スヌーズボタンＢ６および解除ボタンＢ７の何れかのボタンがタッチされことにより（Ｓ１０５：ＹＥＳ）、タッチされたボタンの操作方法が表示されるともに（Ｓ１０６）、タッチされなかったボタンが暗くされると（Ｓ１０７）、図１３に示すステップＳ１４１の処理に移行する。
【０１２２】
ＣＰＵ１００は、先にタップされたボタンがドラッグされたと判定すると（Ｓ１４１：ＹＥＳ）、ドラッグに応じてボタンを移動させる（Ｓ１４２）。そして、ＣＰＵ１００は、ドラッグされたボタンが他方の表示面へ移動されたか否かを判定する（Ｓ１４３）。
【０１２３】
たとえば、図１４の（画面１）のように、アラーム画面が第２表示面２１ｃに表示されている場合、ユーザは、たとえば、スヌーズボタンＢ６を選ぶと、図１４の（画面２）のように、スヌーズボタンＢ６を第１表示面１１ｃまでドラッグする。
【０１２４】
これにより、ＣＰＵ１００は、ドラッグされたボタンが他方の表示面へ移動されたと判定すると（Ｓ１４３：ＹＥＳ）、アラームを停止するとともに、作動時間の計測を停止する（Ｓ１１１）。以降は、上記実施の形態と同に処理が実行される。
【０１２５】
なお、ＣＰＵ１００は、ボタンが他方の表示面へ移動される前にドラッグが終えられると（Ｓ１４３：ＮＯ→Ｓ１４４：ＹＥＳ）、ボタンをドラッグ前の位置に移動させる（Ｓ１４５）。その後、ＣＰＵ１００は、アラーム画面上にメッセージウインドウＷ１を、所定時間（たとえば、２秒間）だけ表示させる（Ｓ１４６）。この場合、メッセージウインドウＷ１は、他方の表示面へのドラッグを促すような文言により構成される。
【０１２６】
本変更例のような構成とした場合も、上記実施の形態と同様、ユーザが意図せず、不所望に報知動作が停止され難い。
【０１２７】
なお、変更例１の構成に、本変更例の構成が適用されても良い。
【０１２８】
＜変更例４＞
上記実施の形態では、スヌーズボタンＢ６または解除ボタンＢ７に対して確定フリックがなされると、アラームが停止された後、アラームが作動する前の画面が第１表示面１１ｃ（第２表示面２１ｃ）に表示された。しかしながら、本変更例のように、アラームに関連して所定のアプリケーションが設定されていると、そのアプリケーションの画面が表示
されるようにしても良い。
【０１２９】
図１５は、変更例４に係るアラーム報知制御の処理手順を示すフローチャートである。図１６は、アラーム報知制御が実行されたときの画面表示を示す図である。
【０１３０】
図１５に示すように、本変更例のアラーム報知制御では、図５に示す上記実施の形態のアラーム報知制御に対し、ステップＳ１５１およびＳ１５２の処理が追加されている。それ以外の処理は、上記実施の形態における処理と同じである。
【０１３１】
スヌーズボタンＢ６または解除ボタンＢ７に対して確定フリックがなされるか、作動時間が経過することによりアラームが停止されると（Ｓ１１１、Ｓ１１７）、その後、ＣＰＵ１００は、アラームに関連して所定のアプリケーションが設定されているか否かを判定する（Ｓ１５１）。
【０１３２】
たとえば、図４（ｂ）に示す設定画面により、アラーム時刻が設定された後、アプリケーションを選択する画面が表示される。たとえば、選択画面には、メール、アドレス帳、ウェブブラウザ等のアプリケーションの項目が表示され、その中から、ユーザにより所望のアプリケーションが選択されると、そのアプリケーションが、アラームに関連するアプリケーションとして設定される。設定されたアプリケーションはメモリ２００に記憶される。
【０１３３】
ＣＰＵ１００は、アラームに関連するアプリケーションが設定されていれば（Ｓ１５１：ＹＥＳ）、そのアプリケーションを起動して、そのアプリケーションの実行画面を第１表示面１１ｃ（第２表示面２１ｃ）に表示させる（Ｓ１５２）。たとえば、メールのアプリケーションが設定されており、携帯電話機１が閉じていれば、図１６（ａ）に示すように、第１表示面１１ｃにメールのアプリケーションにおける決められた実行画面、たとえば、メール作成画面が表示される。また、メールのアプリケーションが設定されており、携帯電話機１が開いていれば、図１６（ｂ）に示すように、第１表示面１１ｃおよび第２表示面２１ｃにメール作成画面が表示される。あるいは、携帯電話機１が開いている場合、図１６（ｃ）のように、一方の表示面にメール作成画面が表示され、他方の表示面にアラームの作動前に表示されていた画面が表示される。なお、図１６（ｂ）の表示形態とするか図１６（ｃ）の表示形態とするかをユーザが予め設定できるようにしても良い。また、メールのアプリケーションの場合には、メール作成画面に予め設定された宛先（アドレス）が、自動的に表示されていても良い。また、ウェブブラウザの場合、予め設定されたウェブサイトの画面が表示されるようにしても良い。さらに、アドレス帳のアプリケーションの場合には、予め設定された相手の情報（電話番号、住所等）が表示されるようにしても良い。
【０１３４】
本変更例の構成とすれば、所定のアプリケーションを実行するタイミングを知らせるためにアラーム設定するような場合に、実行したいアプリケーションを設定しておけば、設定したプリケーションを、アラームの停止操作に連動して起動できる。よって、ユーザに対する利便性が向上する。
【０１３５】
なお、本変更例の構成を、変更例１、変更例２および変更例３の構成に適用するようにしても良い。
【０１３６】
＜その他＞
以上、本発明の実施形態および変更例について説明したが、本発明は上記実施の形態や変更例によって何ら制限されるものではなく、また、本発明の実施形態も上記の他に種々の変更が可能である。
【０１３７】
たとえば、上記実施の形態では、外部スピーカ３０８からのアラーム音により報知を行う構成とされている。しかしながら、報知動作は、これに限られるのもではなく、たとえば、携帯電話機１にバイブレータが設けられ、このバイブレータの振動により報知を行う構成とされても良い。また、アラーム音と振動の双方により報知が行われても良い。さらに、アラーム音をオンにするかオフにするか、振動をオンにするかオフにするかをユーザが設定できる構成とされても良い。
【０１３８】
また、上記実施の形態では、スヌーズボタンＢ６および解除ボタンＢ７への移動操作が確定フリックでなかった場合、メッセージウインドウＷ１が表示される構成とされている。しかしながら、必ずしも、メッセージウインドウＷ１が表示されなくても良い。また、メッセージウインドウＷ１に替えて、またはメッセージウインドウＷ１とともに、ボタンＢ６、Ｂ７への操作が受け付けられなかったことを示す報知音が発せられても良い。
【０１３９】
さらに、上記実施の形態では、スヌーズボタンＢ６または解除ボタンＢ７が、何れかのボタンへのタッチにより選択される構成とされている。しかしながら、これに限らず、タップ、ロングタップ等、他の操作によりボタンが選択される構成とされても良い。
【０１４０】
なお、アラーム報知中に、電話やメールの着信がある場合がある。この場合、アラームが停止され、替わって着信音による着信報知が行われる。これに伴い、第１表示面１１ｃ（第２表示面２１ｃ）の表示がアラーム画面から電話番号などの着信情報を含む着信報知画面に切り替えられる。また、アラーム報知中に、バッテリーの残量が少なくなったことが検出された場合にも、アラームが停止され、替わってビープ音によりバッテリー残量が少ないことを知らせるローバッテリー報知が行われる。これに伴い、第１表示面１１ｃ（第２表示面２１ｃ）の表示がアラーム画面からバッテリー残量が少ないことを知らせる報知画面に切り替えられる。
【０１４１】
着信報知やローバッテリー報知が終了すると、再び、第１表示面１１ｃ（第２表示面２１ｃ）にアラーム画面が表示されるとともに、アラームが作動される。このとき、着信報知やローバッテリー報知がなされる前に、スヌーズボタンＢ６または解除ボタンＢ７が選ばれており、アラーム画面において操作方法が表示され、選ばれなかったボタンが暗くされていれば、その状態のアラーム画面が再び表示される。
【０１４２】
さらに、上記実施の形態では、アラーム画面上にスヌーズボタンＢ６および解除ボタンＢ７の双方が表示されたが、どちらかのボタンのみが表示されても良い。さらに、これらボタンＢ６、Ｂ７の少なくとも何れかに替えて、または、これらボタンＢ６、Ｂ７に加えて、アラーム音のみを止めるための消音ボタンが表示されても良い。この消音ボタンに対し確定フリック等の操作がなされた場合、ＣＰＵ１００は、アラームを停止させるが作動時間を停止せず、アラーム画面を表示させたままとする。
【０１４３】
さらに、上記実施の形態では、携帯電話機１が開いた状態において、アラームが動作しているときに、ユーザに携帯電話機１が閉じられる場合がある。この場合、携帯電話機１が開いた状態から閉じた状態に切り替えられたことが検出されると、ＣＰＵ１００により、アラームが停止されるとともに、アラーム解除設定またはスヌーズ設定が行われる。アラーム解除設定またはスヌーズ設定のどちらが行われるかは、予めユーザにより設定され得る。
【０１４４】
さらに、本発明の携帯端末装置は、携帯電話機に限られず、ＰＤＡ（PersonalDigital Assistant）、タブレットＰＣ（Tablet PC）等であってもよい。
【０１４５】
この他、本発明の実施の形態は、特許請求の範囲に示された技術的思想の範囲内において、適宜、種々の変更が可能である。
【符号の説明】
【０１４６】
１１  第１ディスプレイ（表示部、第１表示部）
１２  第１タッチセンサ（受付部）
１４  磁石（機構部）
１６  突起部（機構部）
１７  突起部（機構部）
２１  第２ディスプレイ（表示部、第２表示部）
２２  第２タッチセンサ（受付部）
２３  磁石（機構部）
２６  軸部（機構部）
２７  軸部（機構部）
２８ａ  アップキー（操作部）
３４  コイルバネ（機構部）
３９  案内溝（機構部）
１００  ＣＰＵ（報知制御部、表示制御部）
２００  メモリ（記憶部）
３０８  外部スピーカ（報知部）
Ｂ６  スヌーズボタン（第２オブジェクト画像）
Ｂ７  解除ボタン（第１オブジェクト画像）
Ｗ１  メッセージウインドウ（移動操作を促す画像）
【図１】
0005885185.tif 000002
【図２】
0005885185.tif 000003
【図３】
0005885185.tif 000004
【図４】
0005885185.tif 000005
【図５】
0005885185.tif 000006
【図６】
0005885185.tif 000007
【図７】
0005885185.tif 000008
【図８】
0005885185.tif 000009
【図９】
0005885185.tif 000010
【図１０】
0005885185.tif 000011
【図１１】
0005885185.tif 000012
【図１２】
0005885185.tif 000013
【図１３】
0005885185.tif 000014
【図１４】
0005885185.tif 000015
【図１５】
0005885185.tif 000016
【図１６】
0005885185.tif 000017